(57)【要約】【課題】振ることにより生じる重量体１３の慣性力により芯１１を繰り出すとともに、携帯時には筆記先端部にキャップ１５を被せることにより不必要な芯繰出を防止するキャップ付振出式シャープペンシルに適用できる。【解決手段】キャップ１５の係合部と後軸８の係合部を係合可能に構成する。そして、筆記時には後軸８の後部にキャップ１５を着脱可能に取り付けるとともに、前軸７と後軸８の当接部を適宜離間して構成する。また、携帯時には筆記先端部を覆うように後軸８の係合部にキャップ１５の係合部を着脱可能に係合するとともに、後軸８と連動して前進するチャック１が拡開した状態となるように構成する。【選択図】図１
2010253865.tif 000002
【特許請求の範囲】
【請求項１】
チャックと、チャックを後方に付勢するスプリングと、チャックに外嵌される締具と、チャックと連動する芯タンクと、芯タンクの外側に位置し長手方向に摺動可能に設けられた重量体とを有し、重量体の慣性力によりチャックを前進させて芯を繰り出す振出式シャープペンシルにおいて、キャップの係合部と後軸の係合部を係合可能に構成し、筆記時には後軸の後部にキャップを着脱可能に取り付けるとともに、前軸と後軸の当接部を適宜離間して構成し、携帯時には筆記先端部を覆うように後軸の係合部にキャップの係合部を着脱可能に係合するとともに、後軸と連動して前進するチャックが拡開した状態となるように構成したことを特徴とするキャップ付振出式シャープペンシル。
【請求項２】
携帯時において、筆記先端部を覆うように後軸の係合部にキャップの係合部を着脱可能に嵌合するとともにキャップを前軸に着脱可能に取り付け、かつ、前軸と後軸の当接部を密着させ、更に後軸により前進させられたチャックが拡開した状態となるように構成し、携帯時の振動により生じた重量体の慣性力によりチャックが前進させられても芯が繰り出されないように構成したことを特徴とする請求項１記載のキャップ付振出式シャープペンシル。
【請求項３】
後軸の前部に弾性片を形成し、この弾性片にキャップを着脱可能に嵌合して、携帯時にキャップで筆記先端部を覆うように構成したことを特徴とする請求項１又は２記載のキャップ付振出式シャープペンシル。
【請求項４】
後軸の前部に形成した弾性片の前端に外周方向に突出した係合突起を形成し、また前軸に開口窓を形成し、後軸の係合突起を前軸の開口窓に係合させることにより前軸に後軸を長手方向に適宜摺動可能に連結したことを特徴とする請求項１乃至３のいずれか１項に記載のキャップ付振出式シャープペンシル。
【請求項５】
後軸の弾性片に形成した係合突起を前軸の開口窓に係合させるとともに、前軸の外周より突出した係合突起にキャップの内面に形成した係合部を係合させたことを特徴とする請求項４記載のキャップ付振出式シャープペンシル。
【請求項６】
後軸の前部に形成した弾性片の前端に外周方向に突出した係合突起を形成するとともに弾性片の内側に内突起を形成し、携帯時に後軸の係合突起にキャップの係合部を嵌合することにより、弾性片を内方に撓ませて内突起を重量体に押圧し、重量体を固定したことを特徴とする請求項１乃至５のいずれか１項に記載のキャップ付振出式シャープペンシル。
【請求項７】
前軸と後軸の間にリターンスプリングを取り付け、後軸を長手方向後方に付勢したことを特徴とする請求項１乃至６のいずれか１項に記載のキャップ付振出式シャープペンシル。
【発明の詳細な説明】
【技術分野】
【０００１】
本発明は、携帯時に筆記先端部をキャップで保護するとともに、携帯時における芯繰出を防止するキャップ付振出式シャープペンシルに関するものである。
【背景技術】
【０００２】
従来、振出式のシャープペンシルを生産工場から販売店に輸送する時に、輸送時に発生する振動によって不必要な芯繰り出しが生じるのを防止する為に、口金にキャップを着脱可能に嵌合した振出式のシャープペンシルが知られている。（特許文献１参照）
【０００３】
しかしながら、輸送時に生じる振動によって重量体が摺動し、重量体の慣性力によってチャックが前進されて芯を繰り出すものは、頻繁に芯がキャップに当接するために、芯が劣化するとともに、芯が前進できずにチャックを繰り返し前進させてしまうとチャックの芯保持部に芯の粉が付着してチャックの耐久性を損なってしまう問題があった。
【０００４】
また、携帯時に口金を保護するためにキャップを口金に取り付けた場合には、消しゴムが露出して外観を損なってしまうので、携帯時の芯繰り出しを防止するには適さないものであった。
【先行技術文献】
【特許文献】
【０００５】
【特許文献１】実用新案登録第２５６１５６７号公報
【発明の概要】
【発明が解決しようとする課題】
【０００６】
解決しようとする問題点は、携帯時の外観を損なってしまう点と、携帯時に振動が発生すると芯が繰り出されてしまう点である。
【課題を解決するための手段】
【０００７】
本発明は、チャックと、チャックを後方に付勢するスプリングと、チャックに外嵌される締具と、チャックと連動する芯タンクと、芯タンクの外側に位置し長手方向に摺動可能に設けられた重量体とを有し、重量体の慣性力によりチャックを前進させて芯を繰り出す振出式シャープペンシルにおいて、キャップの係合部と後軸の係合部を係合可能に構成し、筆記時には後軸の後部にキャップを着脱可能に取り付けるとともに、前軸と後軸の当接部を適宜離間して構成し、携帯時には筆記先端部を覆うように後軸の係合部にキャップの係合部を着脱可能に取り付けるとともに、後軸と連動して前進するチャックが拡開した状態となるように構成したことを第１の特徴とする。
【０００８】
また、携帯時において、筆記先端部を覆うように後軸の係合部にキャップの係合部を着脱可能に嵌合するとともにキャップを前軸に着脱可能に取り付け、かつ、前軸と後軸の当接部を密着させ、更に後軸により前進させられたチャックが拡開した状態となるように構成し、携帯時の振動により生じた重量体の慣性力によりチャックが前進させられても芯が繰り出されないように構成したことを第２の特徴とする。
【０００９】
更に、後軸の前部に弾性体を形成し、この弾性片にキャップを着脱可能に嵌合して、携帯時にキャップで筆記先端部を覆うように構成したことを第３の特徴とする。
【００１０】
更にまた、後軸の前部に形成した弾性片の前端に外周方向に突出した係合突起を形成し、また前軸に開口窓を形成し、後軸の係合突起を前軸の開口窓に係合させることにより前軸に後軸を長手方向に適宜摺動可能に連結したことを第４の特徴とする。
【００１１】
更にまた、後軸の弾性片に形成した係合突起を前軸の開口窓に係合させるとともに、前軸の外周より突出した係合突起にキャップの内面に形成した係合部を係合させたことを第５の特徴とする。
【００１２】
更にまた、後軸の前部に形成した弾性片の前端に外周方向に突出した係合突起を形成するとともに弾性片の内側に内突起を形成し、携帯時に後軸の係合突起にキャップの係合部を嵌合することにより、弾性片を内方に撓ませて内突起を重量体に押圧し、重量体を固定したことを第６の特徴とする。
【００１３】
更にまた、前軸と後軸の間にリターンスプリングを取り付け、後軸を長手方向後方に付勢したことを第７の特徴とする。
【発明の効果】
【００１４】
本発明のキャップ付振出式シャープペンシルは、携帯時にキャップを筆記先端部に被せることにより、筆記先端部を保護するとともに服のポケット等に入れて携帯する時に、筆記先端部で服のポケットを傷付けてしまう恐れがなくなるものである。また、携帯時において重量体の慣性力により生じる不必要な芯繰出を防止するので、突出した芯で服を汚してしまう恐れもなくなるものである。更に、携帯時に全長が短くなって携帯しやすくなるとともに筆記先端部をキャップで覆うことによって外観が向上する利点が得られるものである。
【図面の簡単な説明】
【００１５】
【図１】図１は本発明の実施例１のキャップ付振出式シャープペンシルにおける携帯状態を示す縦断面図である。（実施例１）
【図２】図２は図１のＡ−Ａ線を示す断面図である。（実施例１）
【図３】図３は図１のＢ−Ｂ線を示す断面図である。（実施例１）
【図４】図４は本発明の実施例１のキャップ付振出式シャープペンシルにおける筆記状態を示す縦断面図である。（実施例１）
【図５】図５は本発明の実施例２のキャップ付振出式シャープペンシルにおける携帯状態を示す縦断面図である。（実施例２）
【図６】図６は本発明の実施例２のキャップ付振出式シャープペンシルにおける筆記状態を示す縦断面図である。（実施例２）
【図７】図７は本発明の実施例３のキャップ付振出式シャープペンシルにおける携帯状態を示す縦断面図である。（実施例３）
【図８】図８は本発明の実施例３のキャップ付振出式シャープペンシルにおける筆記状態を示す縦断面図である。（実施例３）
【図９】図９は本発明の実施例４のキャップ付振出式シャープペンシルにおける携帯状態を示す縦断面図である。（実施例４）
【図１０】図１０は本発明の実施例４のキャップ付振出式シャープペンシルにおける筆記状態を示す縦断面図である。（実施例４）
【図１１】図１１は本発明の実施例５のキャップ付振出式シャープペンシルにおける携帯状態を示す縦断面図である。（実施例５）
【図１２】図１２は本発明の実施例５のキャップ付振出式シャープペンシルにおける筆記状態を示す縦断面図である。（実施例５）
【図１３】図１３は本発明の実施例６のキャップ付振出式シャープペンシルにおける携帯状態を示す縦断面図である。（実施例６）
【図１４】図１４は本発明の実施例６のキャップ付振出式シャープペンシルにおける筆記状態を示す縦断面図である。（実施例６）
【発明を実施するための形態】
【００１６】
携帯時の外観を向上し、不必要な芯繰出を防止するキャップ付振出式シャープペンシルを、筆記先端部を保護するキャップを設けることにより実現した。
【実施例１】
【００１７】
以下、図１、図２、図３及び図４に基づいて本発明における実施例１のキャップ付振出式シャープペンシルを説明する。また、図１の左側を前方とし、右側を後方とする。先ず、黄銅等からなる金属製のチャック１の後部に合成樹脂製のコネクター２を圧入固着する。このコネクター２の後部に樹脂パイプからなる芯タンク３を圧入固着する。また、チャック１の頭部１Ａには締具４が外嵌され、更に締具４を受け止める連結具５が設けられる。この連結具５と前記コネクター２の間に比較的弱い力のスプリング６が張架され、機構部が構成される。
【００１８】
更に、前軸７の中間部に長手方向に伸びた開口窓７Ａが相対位置に形成され、この開口窓７Ａから後方に伸びてキー溝７Ｂが形成される。また、前軸７の開口窓７Ａより後方に段部７Ｃが形成される。更に、後軸８の中間部に突条８Ａが形成され、この突条８Ａより前方に段部８Ｂが形成される。この後軸８の段部８Ｂより前方に筒部８Ｃが形成され、この筒部８Ｃに長手方向に伸びたキー８Ｄが相対位置に形成される。このキー８Ｄより前方に伸びて弾性片８Ｅが形成され、この弾性片８Ｅのそれぞれの前端に外方に突出する係合突起８Ｆが形成される。また、弾性片８Ｅの係合突起８Ｆより適宜後方位置に内方に突出する内突起８Ｇが形成される。この後軸８の筒部８Ｃを前記前軸７の後方から挿入し、前軸７のキー溝７Ｂに弾性片８Ｅの係合突起８Ｆを合わせて弾性片８Ｅを内方に撓ませながら前進移動させる。そして、係合突起８Ｆを前軸７の開口窓７Ａに係合させ、前軸７に後軸８を適宜長手方向に摺動可能に連結する。この係合突起８Ｆを前軸７の開口窓７Ａより外方に突出させる。更に、前記前軸７の前部にゴム製のグリップ９を外嵌する。
【００１９】
この後軸８を連結した前軸７の前方より前記機構部の芯タンク３を挿入し、前軸７の前部に先部材１０を着脱可能に螺合することによって、先部材１０の内段１０Ａと前軸７の前端により連結具５を挾持して機構部を取り付ける。また、先部材１０には芯１１を軽く保持するためのゴム製の芯ホルダー１２が内蔵される。この芯タンク３内に複数の芯１１を収納させるとともに、芯タンク３の外側に重量体１３を長手方向に摺動可能に遊嵌させる。更に、後軸８の後部に尾栓１４を着脱可能に螺合して取り付ける。
【００２０】
また、合成樹脂製のキャップ１５には溝部１５Ａが形成されるとともに、天部に消しゴム１６を設け、更に消しゴム１６を覆うノブ１７を着脱可能に取り付ける。このキャップ１５は、図１に示した携帯状態においては、前軸７にキャップ１５を被せた後、キャップ１５と後軸８を互いに押圧することにより、キャップ１５の溝部１５Ａに後軸８の係合突起８Ｆが着脱可能に係合され、キャップ１５が取り付けられる。また、弾性片８Ｅが内方に撓んで内突起８Ｇが重量体１３に圧接し、重量体１３を固定する。この時、キャップ１５の後端が前軸７の段部７Ｃに当接されるとともに、尾栓１４の底部に芯タンク３の後部が当接され、スプリング６が圧縮されてチャック１が拡開し、この携帯状態ではチャック１による芯１１の保持は行っていない。この状態においては、前軸７の開口窓７Ａの前端に係合突起８Ｆの前端が当接されるとともに、前軸７の後端に後軸８の段部８Ｂが当接される。
【００２１】
従って、この携帯状態では、振動が発生しても、重量体１３は固定されて移動できず、またチャック１は拡開して芯１１を解放しているので不必要な芯繰出は行なわれない。
【００２２】
次に、筆記する場合には、キャップ１５を外しこのキャップ１５を後軸８に取り付けることにより図４に示した筆記状態となる。この状態では、スプリング６によりチャック１が後方に付勢されチャック１が閉じられて芯１１を保持している。また、前軸７の後端と後軸８の段部８Ｂが適宜離間するとともに、後軸８の弾性片８Ｅが外方に拡開し内突起８Ｇが重量体１３から離れるため、重量体１３はコネクター２の外鍔２Aと尾栓１４の内段１４Ａの間に長手方向に摺動可能に遊嵌される。
【００２３】
この状態で筆記を行い、芯１１が消耗した場合には、グリップ９を把持して前方に振ることによって重量体１３の慣性力により芯１１が繰り出される。また、一本の芯１１が消耗し次の芯１１を追従させる場合には、キャップ１５に設けられたノブ１７を押圧してチャック１を前進させ芯１１を追従させる。更に、消しゴム１６を使用する場合にはノブ１７を外して使用するが、この時キャップ１５を手で保持して消しゴム１６を紙面に押し付けるので、消しゴム１６が揺動してしまう心配がなく、確実に筆跡を消去することができる。また、芯タンク３に芯１１を補充する場合には、図４の状態において、先ずキャップ１５を外し、次に後軸８から尾栓１４を外して予備の芯１１を補充する。
【００２４】
この実施例１のキャップ付振出式シャープペンシルの場合には、携帯時に振動が発生しても、不必要な芯繰出が防止できるとともに、重量体１３も固定されて移動しないので重量体１３の当接音が発生することなく携帯できる。また、後軸８に尾栓１４が螺合されているので、重量体１３が尾栓１４に当接しても尾栓１４が外れてしまう恐れがない。
【実施例２】
【００２５】
以下、図５及び図６に基づいて本発明における実施例２のキャップ付振出式シャープペンシルを説明する。尚、図１と同一の部材は同一の符号を付してその説明を省略する。先ず、前軸１０７の中間部に長手方向に伸びた開口窓１０７Ａが相対位置に形成され、この開口窓１０７Ａから後方に伸びてキー溝１０７Ｂが形成される。また、前軸１０７の中間部に突条１０７Ｄが形成され、この突条１０７Ｄより後方に段部１０７Ｃが形成される。更に、後軸１０８の中間部に突条１０８Ａが形成され、この突条１０８Ａより前方に段部１０８Ｂが形成される。前記後軸１０８の段部１０８Ｂより前方に筒部１０８Ｃが形成され、この筒部１０８Ｃに長手方向に伸びたキー１０８Ｄが相対位置に形成される。このキー１０８Ｄより前方に伸びて弾性片１０８Ｅが形成され、この弾性片１０８Ｅのそれぞれの前端に外方に突出する係合突起１０８Ｆが形成される。また、弾性片１０８Ｅの係合突起１０８Ｆより適宜後方位置に内方に突出する内突起１０８Ｇが形成される。更に、後軸１０８の段部１０８Ｂより後方に係合突条１０８Ｈが形成される。
【００２６】
更に、キャップ１１５には溝部１１５Ａとその後端側に係合凹条１１５Ｂが形成される。また、キャップ１１５の天部に消しゴム１６を設け、この消しゴム１６を覆うノブ１７を着脱可能に取り付ける。
【００２７】
このキャップ１１５は、図５に示した携帯状態においては、前軸１０７にキャップ１１５を被せた後、キャップ１１５と後軸１０８を互いに押圧することにより、キャップ１１５の溝部１１５Ａが後軸１０８の係合突条１０８Ｈに着脱可能に係合するとともに、キャップ１１５の係合凹条１１５Ｂが前記前軸１０７の突条１０７Ｄに着脱可能に係合し、キャップ１１５が取り付けられる。また、弾性片１０８Ｅが内方に撓んで内突起１０８Ｇが重量体１３に圧接し、重量体１３を固定する。この時、キャップ１１５の後端が前軸１０７の段部１０７Ｃに当接されるとともに、尾栓１４の底部に芯タンク３の後部が当接され、スプリング６が圧縮されてチャック１が拡開し、この携帯状態ではチャック１による芯１１の保持は行っていない。この状態においては、前軸１０７の開口窓１０７Ａの前端に係合突起１０８Ｆの前端が当接されるとともに、前軸１０７の後端に後軸１０８の段部１０８Ｂが当接される。
【００２８】
従って、この携帯状態では、振動が発生しても重量体１３は固定されて移動できず、またチャック１は拡開して芯１１を解放しているので不必要な芯繰出は行われない。
【００２９】
次に、筆記する場合には、前軸１０７からキャップ１１５を外しこのキャップ１１５の係合凹条１１５Ｂを後軸１０８の係合突条１０８Ｈに着脱可能に係合することにより図６に示した筆記状態となる。この状態では、スプリング６によりチャック１が後方に付勢されチャック１が閉じられて芯１１を保持している。また、前軸１０７の後端と後軸１０８の段部１０８Ｂが適宜離間するとともに、重量体１３はコネクター２の外鍔２Ａと尾栓１４の内段１４Ａの間に長手方向に摺動可能に遊嵌される。
【００３０】
この状態で筆記を行い、芯１１が消耗した場合には、実施例１と同様に芯１１が繰り出される。
【００３１】
この実施例２のキャップ付振出式シャープペンシルの場合には、携帯時に振動が発生しても、不必要な芯繰出が防止できるとともに、重量体１３も固定されて移動しないので重量体１３の当接音が発生することなく携帯できる利点がある。また、後軸１０８に尾栓１４が螺合されているので、重量体１３が尾栓１４に当接しても尾栓１４が外れてしまう恐れがない。更に、携帯時においてはキャップ１１５の係合凹条１１５Ｂが前軸１０７の突条１０７Ｄに係合され、また筆記時においてはキャップ１１５の係合凹条１１５Ｂが後軸１０８の係合突条１０８Ｈに係合されるので、携帯時や筆記時においてキャップ１１５を確実に装着することができる。
【実施例３】
【００３２】
以下、図７及び図８に基づいて本発明の実施例３のキャップ付振出式シャープペンシルを説明する。尚、図１と同一の部材は同一の符号を付してその説明を省略する。先ず、後軸２０８の中間部に突条２０８Ａが形成され、この突条２０８Ａより前方に段部２０８Ｂが形成される。この後軸２０８の段部２０８Ｂより前方に筒部２０８Ｃが形成され、この筒部２０８Ｃに長手方向に伸びたキー２０８Ｄが相対位置に形成される。更に、それぞれのキー２０８Ｄより前方に伸びて弾性片２０８Ｅが形成され、この弾性片２０８Ｅのそれぞれの前端に外方に突出する係合突起２０８Ｆが形成される。また、後軸２０８の後部には芯タンク３の後部が摺動可能なガイド孔２０８Ｉが形成され、その後端に芯１１が挿通可能な開口孔２０８Ｊが形成される。この後軸２０８の後部に開口孔２０８Ｊを閉じるための尾栓１１４が着脱可能に嵌合される。
【００３３】
更に、本発明のキャップ付振出式シャープペンシルを組み立てるには、まず、前軸７の前方より機構部の芯タンク３を挿入し、前軸７の前部に先部材１０を着脱可能に螺合することによって、先部材１０の内段１０Ａと前軸７の前端により連結具５を挾持して機構部を取り付ける。また、先部材１０には芯１１を軽く保持するためのゴム製の芯ホルダー１２が内蔵される。この芯タンク３内に複数の芯１１を収納させるとともに、芯タンク３の外側に重量体１３を長手方向に摺動可能に遊嵌させる。
【００３４】
この前軸７の後方から前記後軸２０８の筒部２０８Ｃを挿入し、前軸７のキー溝７Ｂに弾性片２０８Ｅの係合突起２０８Ｆを合わせて弾性片２０８Ｅを内方に撓ませながら前進移動させる。そして、係合突起２０８Ｆを前軸７の開口窓７Ａに係合させ、前軸７に後軸２０８を適宜長手方向に摺動可能に連結する。また、係合突起２０８Ｆを前軸７の開口窓７Ａより外方に突出させる。
【００３５】
また、合成樹脂製のキャップ２１５にクリップ１８を一体に形成し、このキャップ２１５の天部に消しゴム１６を取り付ける。更に、消しゴム１６を覆うノブ１７を着脱可能に取り付ける。このキャップ２１５は、図７に示した携帯状態においては、前軸７にキャップ２１５を被せた後、キャップ２１５と後軸２０８を押圧することにより、キャップ２１５の溝部２１５Ａに後軸２０８の係合突起２０８Ｆが着脱可能に係合され、キャップ２１５が取り付けられる。この時、キャップ２１５の後端が前軸７の段部７Ｃに当接されるとともに、後軸２０８の後端内鍔２０８Ｋに芯タンク３の後部が当接され、スプリング６が圧縮されてチャック１が拡開し、この携帯状態ではチャック１による芯１１の保持は行っていない。この携帯状態においては、前軸７の開口窓７Ａの前端に係合突起２０８Ｆの前端が当接されるとともに、前軸７の後端に後軸２０８の段部２０８Ｂが当接される。
【００３６】
従って、この携帯状態では、振動が発生しても、チャック１は拡開して芯１１を解放しているので不必要な芯繰出は行われない。
【００３７】
次に、筆記する場合には、キャップ２１５を外しこのキャップ２１５を後軸２０８に取り付けることにより図８に示した筆記状態となる。この状態では、スプリング６によりチャック１が後方に付勢されチャック１が閉じられて芯１１を保持している。また、前軸７の後端と後軸２０８の段部２０８Ｂが適宜離間するとともに、重量体１３はコネクター２の外鍔２Ａと後軸２０８の内段２０８Ｌの間に長手方向に摺動可能に遊嵌される。
【００３８】
この状態で筆記を行い、芯１１が消耗した場合には、グリップ９を把持して前方に振ることによって重量体１３の慣性力により芯１１が繰り出される。また、一本の芯１１が消耗し次の芯１１を追従させる場合には、キャップ２１５に設けられたノブ１７を押圧してチャック１を前進させ芯１１を追従させる。また、芯タンク３に芯１１を補充する場合には、図８の状態において、先ずキャップ２１５を外し、次に後軸２０８から尾栓１１４を外して予備の芯１１を補充する。
【００３９】
この実施例３のキャップ付振出式シャープペンシルの場合には、重量体１３を後軸２０８の内段２０８Ｌに当接するので、重量体１３が強く当接しても確実に受け止めることができる。また、尾栓１１４は軽い力で着脱できるので、芯１１を補充する操作を簡単に行うことができる。
【実施例４】
【００４０】
以下、図９及び図１０に基づいて本発明の実施例４のキャップ付振出式シャープペンシルを説明する。尚、図１と同一部材は同一の符号を付してその説明を省略する。先ず、前軸２０７の前方より機構部の芯タンク３を挿入し、前軸２０７の前部に先部材１０を着脱可能に螺合することによって、先部材１０の内段１０Ａと前軸２０７の前端により連結具５を挾持して機構部を取り付ける。また、先部材１０には芯１１を軽く保持するためのゴム製の芯ホルダー１２が内蔵される。この芯タンク３内に複数の芯１１を収納させるとともに、芯タンク３の外側に重量体１３を長手方向に摺動可能に遊嵌させる。
【００４１】
更に、前軸２０７の後端より突出した芯タンク３に後軸３０８の固定孔３０８Ｍを圧入固着する。この後軸３０８には、前部に外鍔３０８Ｎを形成するとともに、外鍔３０８Ｎの前方に前係合突条３０８Ｏを形成し、外鍔３０８Ｎの後方に後係合突条３０８Ｐを形成する。また、後軸３０８の後部に開口孔３０８Ｊを閉じるための尾栓１１４が着脱可能に嵌合される。
【００４２】
そして、図９に示した携帯状態においては、前軸２０７にキャップ３１５を被せた後、キャップ３１５と後軸３０８を互いに押圧することにより、キャップ３１５の溝部３１５Ａが後軸３０８の前係合突条３０８Ｏに着脱可能に係合され、キャップ３１５が取り付けられる。この時、キャップ３１５の内段３１５Ｃに先部材１０の外段が当接されるとともに、後軸３０８に芯タンク３が圧入固着されているのでスプリング６が圧縮されてチャック１が拡開し、この状態ではチャック１による芯１１の保持は行っていない。また、前軸２０７の後端と後軸３０８の前端が当接される。
【００４３】
従って、この携帯状態では、振動が発生しても、チャック１は拡開して芯１１を解放しているので、不必要な芯繰出は行われない。
【００４４】
次に、筆記する場合には、キャップ３１５を外しこのキャップ３１５の溝部３１５Ａを後軸３０８の後係合突条３０８Ｐに取り付けることにより図１０に示した筆記状態となる。この状態では、スプリング６によりチャック１が後方に付勢されチャック１が閉じられて芯１１を保持している。また、前軸２０７の後端と後軸３０８の前端が適宜離間するとともに、重量体１３はコネクター２の外鍔２Ａと後軸３０８の内段３０８Ｌの間に長手方向に摺動可能に遊嵌される。
【００４５】
この状態で筆記を行い、芯１１が消耗した場合には、グリップ９を把持して前方に振ることによって重量体１３の慣性力により芯１１が繰り出される。また、一本の芯１１が消耗し次の芯１１を追従させる場合には、キャップ３１５に設けられたノブ１７を押圧してチャック１を前進させ芯１１を追従させる。更に、消しゴム１６を使用する場合にはノブ１７を外して使用するが、この時キャップ３１５を手で保持して消しゴム１６を紙面に押し付けるので、消しゴム１６が揺動してしまう心配がなく、確実に筆跡を消去することができる。また、芯タンク３に芯１１を補充する場合には、図１０の状態において、先ずキャップ３１５を外し、次に後軸３０８から尾栓１１４を外して予備の芯１１を補充する。
【００４６】
この実施例４のキャップ付振出式シャープペンシルの場合には、後軸３０８の前係合突条３０８Ｏと後係合突条３０８Ｐのいずれかにキャップ３１５の溝部３１５Ａを係合してキャップ３１５を取り付けるので、後軸３０８の形状が単純になり生産性が向上する。また、尾栓１１４の着脱も簡単に行うことができる。
【実施例５】
【００４７】
以下、図１１及び図１２に基づいて本発明における実施例５のキャップ付振出式シャープペンシルを説明する。尚、図１と同一部材は同一の符号を付してその説明を省略する。先ず、後軸４０８の段部４０８Ｂより前方に伸びた弾性片４０８Ｅが相対位置に形成され、この弾性片４０８Ｅのそれぞれの前端に外方に突出する係合突起４０８Ｆが形成される。また、弾性片４０８Ｅの係合突起４０８Ｆより適宜後方位置に内方に突出する内突起４０８Ｇが形成される。この後軸４０８の中間部に外鍔４０８Ｎを形成するとともに、外鍔４０８Ｎの前方に前係合凹条４０８Ｑを形成し、外鍔４０８Ｎの後方に後係合凹条４０８Ｒを形成する。更に、後軸４０８の後部に尾栓１４を着脱可能に螺合して取り付ける。この後軸４０８の弾性片４０８Ｅを前軸３０７の後方から挿入し、弾性片４０８Ｅを内方に撓ませながら前進移動させる。そして、係合突起４０８Ｆを前軸３０７の開口窓３０７Ａに係合させ、前軸３０７に後軸４０８を適宜長手方向に摺動可能に連結する。また、係合突起４０８Ｆを前軸３０７の開口窓３０７Ａより外方に突出させる。
【００４８】
更に、図１１に示した携帯状態においては、前軸３０７にキャップ４１５を被せた後、キャップ４１５と後軸４０８を互いに押圧することにより、キャップ４１５の後部に形成された内方突条４１５Ｄに後軸４０８の前係合凹条４０８Ｑが着脱可能に係合され、キャップ４１５が取り付けられる。また、弾性片４０８Ｅの係合突起４０８Ｆがキャップ４１５の内面に押圧されて内方に撓み、内突起４０８Ｇが重量体１３に圧接して重量体１３を固定する。この時、キャップ４１５の内段４１５Ｃに先部材１０の外段が当接されるとともに、尾栓１４の底部に芯タンク３の後部が当接され、スプリング６が圧縮されてチャック１が拡開し、この携帯状態ではチャック１による芯１１の保持は行っていない。また、前軸３０７の開口窓３０７Ａの前端に係合突起４０８Ｆの前端が当接されるとともに、前軸３０７の後端に後軸４０８の段部４０８Ｂが当接される。
【００４９】
従って、この携帯状態では、振動が発生しても重量体１３は固定されて移動できず、またチャック１は拡開して芯１１を解放しているので不必要な芯繰出は行われない。
【００５０】
次に、筆記する場合には、前軸３０７に被せていたキャップ４１５を外し、このキャップ４１５の内方突条４１５Ｄを後軸４０８の後係合凹条４０８Ｒに着脱可能に係合し、図１２に示した筆記状態とする。この状態では、スプリング６によりチャック１が後方に付勢されチャック１が閉じられて芯１１を保持している。また、前軸３０７の後端と後軸４０８の段部４０８Ｂが適宜離間するとともに、重量体１３はコネクター２の外鍔２Ａと尾栓１４の内段１４Ａの間に長手方向に摺動可能に遊嵌される。
【００５１】
この状態で筆記を行い、芯１１が消耗した場合には、グリップ９を把持して前方に振ることによって重量体１３の慣性力により芯１１が繰り出される。また、一本の芯１１が消耗し次の芯１１を追従させる場合には、キャップ４１５に設けられたノブ１７を押圧してチャック１を前進させ芯１１を追従させる。更に、消しゴム１６を使用する場合にはノブ１７を外して使用するが、この時キャップ４１５を手で保持して消しゴム１６を紙面に押し付けるので、消しゴム１６が揺動してしまう心配がなく、確実に筆跡を消去することができる。また、芯タンク３に芯１１を補充する場合には、図１２に示した状態において、先ずキャップ４１５を外し、次に後軸４０８から尾栓１４を外して予備の芯１１を補充する。
【００５２】
この実施例５のキャップ付振出式シャープペンシルの場合には、キャップ４１５の内方突条４１５Ｄを後軸４０８の前係合凹条４０８Ｑに係合してキャップ４１５を取り付け、キャップ４１５の内面で弾性片４０８Ｅに形成された係合突起４０８Ｆを押圧することにより弾性片４０８Ｅを撓ませて、弾性片４０８Ｅに形成された内突起４０８Ｇで重量体１３を固定するので、キャップ４１５の係合と重量体１３の固定が別々の構成となりそれぞれ最適な条件で設定でき、キャップ４１５の係合と重量体１３の固定を確実に行うことができる。
【実施例６】
【００５３】
以下、図１３及び図１４に基づいて本発明における実施例６のキャップ付振出式シャープペンシルを説明する。尚、図１と同一部材は同一の符号を付してその説明を省略する。前軸４０７の中間部に長手方向に伸びた開口窓４０７Ａが相対位置に形成され、前軸４０７の後部に内段４０７Ｅを形成する。また、後軸５０８の段部５０８Ｂより前方に伸びた筒部５０８Ｃに外段５０８Ｓを形成し、更に前方に伸びた前筒部５０８Ｔの前端から前方に伸びた弾性片５０８Ｅが相対位置に形成される。この弾性片５０８Ｅのそれぞれの前端に外方に突出する係合突起５０８Ｆが形成される。また、弾性片５０８Ｅの係合突起５０８Ｆより適宜後方位置に内方に突出する内突起５０８Ｇが形成される。
【００５４】
更に、前記前軸４０７に後方から極めて弱い弾発力のリターンスプリング１９を挿入する。その後方から後軸５０８の弾性片５０８Ｅを撓ませながら挿入し、前軸４０７の内段４０７Ｅと後軸５０８の外段５０８Ｓによってリターンスプリング１９を圧縮するとともに、前軸４０７の開口窓４０７Ａに係合突起５０８Ｆを係合させる。従って、前軸４０７と後軸５０８が適宜長手方向に摺動可能に連結される。また、係合突起５０８Ｆを前軸４０７の開口窓４０７Ａより外方に突出させる。更に、後軸５０８の後方から重量体１３を挿入した後、後軸５０８の後部に尾栓１４を着脱可能に螺合して取り付ける。
【００５５】
そして、図１３に示した携帯状態においては、前軸４０７にキャップ１５を被せた後、キャップ１５と後軸５０８を互いに押圧することにより、リターンスプリング１９が圧縮されるとともに、キャップ１５の溝部１５Ａに後軸５０８の係合突起５０８Ｆが着脱可能に係合され、キャップ１５が取り付けられる。また、弾性片５０８Ｅが内方に撓んで内突起５０８Ｇが重量体１３に圧接し、重量体１３を固定する。この時、キャップ１５の後端が前軸４０７の段部４０７Ｃに当接されるとともに、尾栓１４の底部に芯タンク３の後部が当接され、スプリング６が圧縮されてチャック１が拡開し、この携帯状態ではチャック１による芯１１の保持は行っていない。また、前軸４０７の開口窓４０７Ａの前端に係合突起５０８Ｆの前端が当接されるとともに、前軸４０７の後端に後軸５０８の段部５０８Ｂが当接される。
【００５６】
従って、この携帯状態では、振動が発生しても、重量体１３は固定されて移動できず、またチャック１は拡開して芯１１を解放しているので不必要な芯繰出は行なわれない。
【００５７】
次に、筆記する場合には、キャップ１５を外しこのキャップ１５を後軸５０８に取り付けることにより図１４に示した筆記状態となる。この状態では、スプリング６によりチャック１が後方に付勢されチャック１が閉じられて芯１１を保持している。また、リターンスプリング１９により後軸５０８が後方に付勢され、前軸４０７の後端と後軸５０８の段部５０８Ｂが適宜離間するとともに、重量体１３はコネクター２の外鍔２Ａと尾栓１４の内段１４Ａの間に長手方向に摺動可能に遊嵌される。
【００５８】
この状態で筆記を行い、芯１１が消耗した場合には実施例１と同様に芯１１が繰り出される。また、一本の芯１１が消耗し次の芯１１を追従させる操作も実施例１と同様に行われる。
【００５９】
この実施例６のキャップ付振出式シャープペンシルの場合には、携帯時に振動が発生しても、不必要な芯繰出が防止できるとともに、重量体１３も固定されて移動しないので重量体１３の当接音が発生することなく携帯できる。また、後軸５０８に尾栓１４が螺合されているので、重量体１３が尾栓１４に当接しても尾栓１４が外れてしまう恐れがない。更に、リターンスプリング１９により後軸５０８を後方に付勢しているので、筆記時に後軸５０８が揺動してしまう恐れがなく、筆記を快適に行うことができる。
【００６０】
尚、本発明は上記実施例に限定されるものではなく、キャップ、前軸、後軸、尾栓等は、説明を簡略化するためにそれぞれ１個の部品として図示しているが、それぞれ２個以上の部品を螺合、嵌合して一体化すればよく、また外径形状も図示のものに限定されないことは勿論である。
【産業上の利用可能性】
【００６１】
キャップを設けることにより、携帯時は全長が短くなって携帯し易くかつ外観が向上するとともに、筆記時は全長が長くなって筆記し易い形状になり、更に携帯時における不必要な芯繰出を防止するキャップ付振出式シャープペンシルに適用できる。
【符号の説明】
【００６２】
１    チャック
３    芯タンク
４    締具
６    スプリング
７    前軸
７Ａ    前軸７の開口窓
８    後軸
８Ｅ    後軸８の弾性片
８Ｆ    後軸８の係合突起
８Ｇ    後軸８の内突起
１１    芯
１３    重量体
１５    キャップ
１９    リターンスプリング
１０７    前軸
１０７Ａ    前軸１０７の開口窓
１０８    後軸
１０８Ｅ    後軸１０８の弾性片
１０８Ｆ    後軸１０８の係合突起
１０８Ｇ    後軸１０８の内突起
１１５    キャップ
２０７    前軸
２０８    後軸
２０８Ｅ    後軸２０８の弾性片
２０８Ｆ    後軸２０８の係合突起
２１５    キャップ
３０７    前軸
３０７Ａ    前軸３０７の開口窓
３０８    後軸
３１５    キャップ
４０７    前軸
４０７Ａ    前軸４０７の開口窓
４０８    後軸
４０８Ｅ    後軸４０８の弾性片
４０８Ｆ    後軸４０８の係合突起
４０８Ｇ    後軸４０８の内突起
４１５    キャップ
５０８    後軸
５０８Ｅ    後軸５０８の弾性片
５０８Ｆ    後軸５０８の係合突起
５０８Ｇ    後軸５０８の内突起
【図１】
2010253865.tif 000003
【図２】
2010253865.tif 000004
【図３】
2010253865.tif 000005
【図４】
2010253865.tif 000006
【図５】
2010253865.tif 000007
【図６】
2010253865.tif 000008
【図７】
2010253865.tif 000009
【図８】
2010253865.tif 000010
【図９】
2010253865.tif 000011
【図１０】
2010253865.tif 000012
【図１１】
2010253865.tif 000013
【図１２】
2010253865.tif 000014
【図１３】
2010253865.tif 000015
【図１４】
2010253865.tif 000016